(57)【要約】【課題】ユーザの意図しない通電遮断が発生した場合に、映像投影装置が自動的に起動してしまうのを防止する。【解決手段】本開示の一態様にかかる映像投影装置（１００）は、映像投影装置（１００）への通電が遮断した後に映像出力装置（２００）から入力された映像と、映像投影装置（１００）への通電が遮断する前に映像出力装置（２００）から入力された映像と、が同一か否かを判定する第１の判定と、映像投影装置（１００）への通電が遮断していた時間が一定時間以内か否かを判定する第２の判定と、の少なくとも１つの判定を行う判定手段と、第１の判定と、第２の判定と、の少なくとも１つの判定結果に応じて映像投影装置（１００）を起動するか否かを判断する判断手段と、を有する。【選択図】図１
2015022040.tif 000002
【特許請求の範囲】
【請求項１】
映像出力装置から入力された映像を投影する映像投影装置であって、
前記映像投影装置への通電が遮断した後に前記映像出力装置から入力された映像と、前記映像投影装置への通電が遮断する前に前記映像出力装置から入力された映像と、が同一か否かを判定する第１の判定と、前記映像投影装置への通電が遮断していた時間が一定時間以内か否かを判定する第２の判定と、の少なくとも１つの判定を行う判定手段と、
前記第１の判定と、前記第２の判定と、の少なくとも１つの判定結果に応じて前記映像投影装置を起動するか否かを判断する判断手段と、
を有する、ことを特徴とする映像投影装置。
【請求項２】
前記判定手段は、前記映像出力装置から映像が入力された場合に、前記第１の判定と、前記第２の判定と、の少なくとも１つの判定を行う、ことを特徴とする請求項１記載の映像投影装置。
【請求項３】
前記映像投影装置は、
前記映像投影装置への通電が行われていない電源ＯＦＦ状態と、
前記映像投影装置への通電が行われており、前記映像投影装置を起動するための準備ができているスタンバイ状態と、
前記映像投影装置が起動している電源ＯＮ状態と、の何れかの状態に遷移し、
前記判定手段は、前記スタンバイ状態で前記映像出力装置から映像が入力された場合に、前記第１の判定と、前記第２の判定と、の少なくとも１つの判定を行う、ことを特徴とする請求項２記載の映像投影装置。
【請求項４】
前記判断手段は、
前記第１の判定で同一でないと判定した場合、または、前記第２の判定で一定時間以内でないと判定した場合に、前記映像投影装置を起動し、
前記第１の判定で同一であると判定し、前記第２の判定で一定時間以内であると判定した場合は、前記映像投影装置を起動しない、ことを特徴とする請求項１から請求項３の何れか１項に記載の映像投影装置。
【請求項５】
映像出力装置から入力された映像を投影する映像投影装置のコンピュータに実行させるプログラムであって、
前記映像投影装置への通電が遮断した後に前記映像出力装置から入力された映像と、前記映像投影装置への通電が遮断する前に前記映像出力装置から入力された映像と、が同一か否かを判定する第１の判定と、前記映像投影装置への通電が遮断していた時間が一定時間以内か否かを判定する第２の判定と、の少なくとも１つの判定を行う判定処理と、
前記第１の判定と、前記第２の判定と、の少なくとも１つの判定結果に応じて前記映像投影装置を起動するか否かを判断する判断処理と、を前記コンピュータに実行させることを特徴とするプログラム。
【発明の詳細な説明】
【技術分野】
【０００１】
本開示は、映像を投影するプロジェクタ等の映像投影装置の技術に関する。
【背景技術】
【０００２】
従来から、光源ランプを点灯し、スクリーン等に映像を投影するプロジェクタ等の映像投影装置がある。
【０００３】
この種の映像投影装置は、入力検知起動機能を有して構成する映像投影装置がある。入力検知起動機能は、映像投影装置がスタンバイ状態で映像信号の入力を検知した場合に映像投影装置を起動する機能である。
【０００４】
スタンバイ状態とは、映像投影装置への通電が行われており、図１０に示すように、映像投影装置の電源を入れる電源ＯＮ要求や映像信号検知が受け付け可能な状態である。図１０は、映像投影装置の状態遷移を示す図である。電源ＯＮ要求は、例えば、スタンバイ状態で電源ボタンを押下した時に受け付ける。映像信号検知は、映像信号を映像投影装置が検知した時に受け付ける。
【０００５】
映像投影装置は、電源ＯＦＦ状態で映像投影装置への通電が開始された場合に、映像投影装置に電力が供給されてスタンバイ状態に移行する。電源ＯＦＦ状態とは、映像投影装置への通電が遮断されて映像投影装置に電力が供給されていない状態である。
【０００６】
映像投影装置は、スタンバイ状態で電源ＯＮ要求や映像信号検知を受け付けた場合に、映像投影装置を起動し、電源ＯＮ状態に移行する。
【０００７】
電源ＯＮ状態とは、光源ランプを点灯したり、ファンを動作したりし、映像投影装置の機能（例えば、映像投影を行う機能）が使用可能になっている状態である。映像投影装置が電源ＯＮ状態に移行すると、光源ランプの点灯を開始したり、ファンの動作を開始したりすることになる。
【０００８】
映像投影装置は、電源ＯＮ状態でスタンバイ移行要求を受け付けた場合に、スタンバイ状態に移行する。スタンバイ移行要求は、例えば、電源ＯＮ状態で電源ボタンを押下した時に受け付ける。
【０００９】
映像投影装置は、電源ＯＮ状態やスタンバイ状態で映像投影装置への通電が遮断された場合に、映像投影装置に電力が供給されなくなり、電源ＯＦＦ状態に移行する。映像投影装置への通電が遮断される状況としては、例えば、ＡＣアダプタをコンセントから抜いた場合、停電やブレーカー断が発生した場合などが挙げられる。
【００１０】
映像投影装置は、入力検知起動機能を有することで、スタンバイ状態で映像信号の入力を検知するだけで、自動的に起動し、電源ＯＮ状態に移行することになる。このため、電源ボタンを押下するなどのユーザ操作を行わなくとも、映像投影装置を起動して電源ＯＮ状態に移行することができる。例えば、映像投影装置にＰＣ等の映像出力装置を接続する。そして、スタンバイ状態の映像投影装置に映像出力装置から映像信号を入力する。これにより、スタンバイ状態の映像投影装置は、映像信号を検知して自動的に起動し、電源ＯＮ状態に移行することになる。その結果、電源ボタンを押下するなどのユーザ操作を行わなくとも、映像投影装置を電源ＯＮ状態に移行し、光源ランプを点灯し、映像投影を自動的に開始することができる。
【００１１】
上述した入力検知起動機能を有する映像投影装置は、映像信号を検知した場合に自動的に起動し、電源ＯＮ状態に移行する。このため、ユーザの意図しない通電遮断が発生した後に、映像投影装置が映像信号を検知した場合は、自動的に起動し、電源ＯＮ状態に移行してしまうことになる。ユーザの異図しない通電遮断としては、停電やブレーカー断などが挙げられる。
【００１２】
例えば、図１１（ａ）に示すように、映像信号の入力用にＵＳＢメモリが接続された映像投影装置が電源ＯＮ状態またはスタンバイ状態で、停電やブレーカー断などが発生し、映像投影装置への通電が遮断されたとする。この場合、映像投影装置に電力が供給されなくなり、映像投影装置は、図１１（ｂ）に示すように、電源ＯＦＦ状態に移行する。ＵＳＢメモリは、映像出力装置に相当する。図１１は、映像投影装置で発生する問題状況を説明するための図である。
【００１３】
その後、映像投影装置への通電が開始され、映像投影装置の電源が復帰したとする。この場合、映像投影装置に電力が供給されて、映像投影装置は、図１１（ｃ）に示すように、スタンバイ状態に移行する。スタンバイ状態に移行した映像投影装置には、映像出力装置であるＵＳＢメモリが接続されているため、ＵＳＢメモリから映像信号が入力される。この場合、映像投影装置は、映像信号を検知して自動的に起動し、図１１（ｄ）に示すように、電源ＯＮ状態に移行することになる。そして、映像投影装置は、光源ランプを点灯し、ＵＳＢメモリから入力された映像信号の投影を開始することになる。
【００１４】
このため、図１１に示すように、停電やブレーカー断などのユーザの異図しない通電遮断が発生した後に、映像投影装置が映像信号を検知した場合は、映像投影装置が自動的に起動し、電源ＯＮ状態に移行してしまうことになる。そして、映像投影装置は、光源ランプを点灯し、映像信号の投影を開始してしまうことになる。
【００１５】
このようなことから、停電やブレーカー断などのユーザの意図しない通電遮断が発生した後に映像信号を検知した場合は、映像投影装置を起動するか否かを制御する必要がある。
【００１６】
なお、特許文献１（特開平08-237559号公報）には、外部装置を接続した場合の接続、操作性等の使い勝手の良好な映像表示装置について開示されている。
【００１７】
特許文献１の映像表示装置は、外部装置と接続する接続端子と、外部装置の起動信号の状態を検出する検出手段と、検出信号によって装置の電源回路の起動と表示信号の切換回路を制御する制御手段と、を備え、外部装置の電源起動により映像表示装置の起動と表示信号の切換を制御している。これにより、外部装置と映像表示装置を接続し、電源を入れるだけで、自動的に映像表示装置を立ち上げて、所望する映像を、最適な設定状態で楽しむことを可能にしている。
【発明の概要】
【発明が解決しようとする課題】
【００１８】
特許文献１の技術は、外部装置の電源起動により映像表示装置を起動することを可能にしている。しかし、特許文献１では、ユーザの意図しない通電遮断が発生した場合の問題点については何ら考慮されていない。
【００１９】
本開示の目的は、ユーザの意図しない通電遮断が発生した場合に、映像投影装置が自動的に起動してしまうのを防止することにある。
【課題を解決するための手段】
【００２０】
本開示の一態様にかかる映像投影装置は、
映像出力装置から入力された映像を投影する映像投影装置であって、
前記映像投影装置への通電が遮断した後に前記映像出力装置から入力された映像と、前記映像投影装置への通電が遮断する前に前記映像出力装置から入力された映像と、が同一か否かを判定する第１の判定と、前記映像投影装置への通電が遮断していた時間が一定時間以内か否かを判定する第２の判定と、の少なくとも１つの判定を行う判定手段と、
前記第１の判定と、前記第２の判定と、の少なくとも１つの判定結果に応じて前記映像投影装置を起動するか否かを判断する判断手段と、
を有する、ことを特徴とする。
【発明の効果】
【００２１】
本開示の一態様によれば、ユーザの意図しない通電遮断が発生した場合に、映像投影装置が自動的に起動してしまうのを防止することができる。
【図面の簡単な説明】
【００２２】
【図１】本実施形態の映像投影システムのシステム構成例を示す図である。
【図２】映像投影装置の構成例を示す図である。
【図３】映像投影装置のメインボード１１、ネットワークボード１２の構成例を示す図である。
【図４】記憶部２１に保存する電源断時刻、通電開始時刻を示す図である。
【図５】記憶部２１に保存する映像種別、識別子、信号情報を示す図である。
【図６】映像投影装置の処理動作例を示す第１の図である。
【図７】映像投影装置の処理動作例を示す第２の図である。
【図８】入力検知起動判定の処理動作例を示す第１の図である。
【図９】入力検知起動判定の処理動作例を示す第２の図である。
【図１０】映像投影装置の状態遷移を示す図である。
【図１１】映像投影装置で発生する問題状況を説明するための図である。
【発明を実施するための形態】
【００２３】
（本開示の一態様にかかる映像投影装置の実施形態の概要）
まず、図１を参照しながら、本開示の一態様にかかる映像投影装置の実施形態の概要について説明する。図１は、本開示の一態様にかかる映像投影装置の構成例を示す図である。
【００２４】
本開示の一態様にかかる映像投影装置１００は、映像出力装置２００から入力された映像を投影する映像投影装置である。
【００２５】
本開示の一態様にかかる映像投影装置１００は、判定手段、判断手段を有して構成する。
【００２６】
判定手段は、第１の判定と、第２の判定と、の少なくとも１つの判定を行う判定処理を行う。第１の判定は、映像投影装置１００への通電が遮断した後に映像出力装置２００から入力された映像と、映像投影装置１００への通電が遮断する前に映像出力装置２００から入力された映像と、が同一か否かを判定する。第２の判定は、映像投影装置１００への通電が遮断していた時間が一定時間以内か否かを判定する。
【００２７】
判断手段は、第１の判定と、第２の判定と、の少なくとも１つの判定結果に応じて映像投影装置１００を起動するか否かを判断する判断処理を行う。
【００２８】
本開示の一態様にかかる映像投影装置１００は、第１の判定と、第２の判定と、の少なくとも１つの判定結果に応じて映像投影装置１００を起動するか否かを判断する。このため、ユーザの意図しない通電遮断が発生した場合に、映像投影装置１００が自動的に起動してしまうのを防止することができる。以下、添付図面を参照しながら、本開示の一態様にかかる映像投影装置１００について詳細に説明する。なお、以下の実施形態では、映像投影装置１００と映像出力装置２００とを有する映像投影システムを例に説明する。
【００２９】
＜映像投影システムの構成例＞
まず、図１を参照しながら、本実施形態の映像投影システムのシステム構成例について説明する。図１は、映像投影システムのシステム構成例を示す図である。
【００３０】
本実施形態の映像投影システムは、映像投影装置１００と、映像出力装置２００と、を有して構成する。
【００３１】
映像出力装置２００は、映像信号を映像投影装置１００に出力する装置である。映像出力装置２００としては、パーソナルコンピュータやビデオカメラ等の装置が挙げられる。また、ＵＳＢメモリなどのトングル型の小型装置が挙げられる。映像出力装置２００は、映像投影装置１００に映像信号を出力することが可能な装置であればあらゆる装置が適用可能である。
【００３２】
映像投影装置１００は、映像出力装置２００から入力された映像信号をスクリーン等に投影する装置である。映像投影装置１００としては、プロジェクタ等の装置が挙げられる。
【００３３】
本実施形態の映像投影システムは、映像出力装置２００から映像投影装置１００に所望の映像信号を出力する。映像投影装置１００は、映像出力装置２００から入力された所望の映像信号を投影する。本実施形態の映像投影システムは、映像出力装置２００と映像投影装置１００との接続構成は特に限定せず、あらゆる接続構成が適用可能である。
【００３４】
＜映像投影装置１００の構成例＞
次に、図２、図３を参照しながら、本実施形態の映像投影装置１００の構成例について説明する。図２は、本実施形態の映像投影装置１００の構成例を示す図である。図３は、映像投影装置１００を構成するメインボード１１、ネットワークボード１２の構成例を示す図である。
【００３５】
本実施形態の映像投影装置１００は、光学部１、光源ランプ２、ランプ制御ユニット３、温度センサ４、加速度センサ５、表示部６、操作パネル７、リモコン受信部８、電源９、ファン１０、メインボード１１、ネットワークボード１２を有して構成する。
【００３６】
光学部１は、スクリーン等に映像信号を投影する。
【００３７】
光源ランプ２は、光を照射する。光学部１は、光源ランプ２から照射された光を基に映像信号をスクリーン等に投影する。
【００３８】
ランプ制御ユニット３は、光源ランプ２を制御する。
【００３９】
温度センサ４は、温度を検出する。
【００４０】
加速度センサ５は、加速度を検出する。
【００４１】
表示部６は、各種情報を表示する。
【００４２】
操作パネル７は、映像投影装置１００を操作するための各種情報を入力する。ユーザは、操作パネル７を操作して各種情報を入力する。
【００４３】
リモコン受信部８は、リモコンから出力されたリモコン信号を受信し、リモコン信号に応じた情報を入力する。リモコンは、映像投影装置１００を制御する際に使用する装置である。ユーザは、リモコンを操作し、ユーザ操作に応じた所望のリモコン信号をリモコンから出力する。
【００４４】
電源９は、映像投影装置１００に電力を供給する電力源である。
【００４５】
ファン１０は、映像投影装置１００を冷却する。
【００４６】
メインボード１１は、映像投影装置１００を制御するメインとなるボードである。メインボード１１は、システム制御ユニット２０、記憶部２１、リアルタイムクロック２２、光学制御ユニット２３、映像信号処理ユニット２４、電源制御ユニット２５を有している。
【００４７】
システム制御ユニット２０は、メインボード１１の各部を制御する。システム制御ユニット２０は、図３に示すように、メイン制御手段４０、入力検知起動判断手段４１、本体キー・リモコン制御手段４２、投影手段４３、信号判定手段４４、メインボード通信手段４５を有して構成する。
【００４８】
メイン制御手段４０は、システム制御ユニット２０を制御する。
【００４９】
入力検知起動判断手段４１は、入力検知起動するか否かを判断する。入力検知起動は、映像投影装置１００を起動することを意味する。入力検知起動すると判断した場合は、映像投影装置１００を起動し、映像投影装置１００をスタンバイ状態から電源ＯＮ状態に移行する。入力検知起動しないと判断した場合は、映像投影装置１００を起動せず、映像投影装置１００をスタンバイ状態のままにする。
【００５０】
本体キー・リモコン制御手段４２は、操作パネル７やリモコン受信部８からの情報を受け付ける。
【００５１】
投影手段４３は、光学制御ユニット２３やランプ制御ユニット３を制御し、映像信号の投影を行う。
【００５２】
信号判定手段４４は、映像信号を判定する。
【００５３】
メインボード通信手段４５は、ネットワークボード１２との通信を行う。
【００５４】
記憶部２１は、各種情報を記憶する。記憶部２１は、図４に示す電源断時刻と通電開始時刻とを対応付けて記憶する。電源断時刻は、映像投影装置１００への通電が遮断された時刻である。通電開始時刻は、映像投影装置１００への通電が開始された時刻である。
【００５５】
また、記憶部２１は、図５に示す映像種別、識別子、信号情報を対応付けて記憶する。図５に示す映像種別、識別子、信号情報は、映像投影装置１００で投影を行う映像信号を特定するための情報である。
【００５６】
映像種別は、映像信号の映像種別を特定するための情報である。例えば、映像信号がＵＳＢメモリから受け付けた信号なのか、コンピュータから受け付けた信号なのか、ビデオから受け付けた信号なのかを特定する。映像種別は、映像信号が入力された入力端子の種別で特定することができる。
【００５７】
識別子は、映像信号を映像投影装置１００に出力した映像出力装置２００を特定するための情報である。例えば、映像信号がＵＳＢ信号の場合は、ＵＳＢメモリからＵＳＢ信号を受け付けるため、識別子は、シリアルナンバになる。また、映像信号がネットワーク信号の場合は、映像投影装置１００とネットワークを介して接続された映像出力装置２００からネットワーク信号を受け付けるため、識別子は、映像出力装置２００のＩＰアドレスになる。
【００５８】
信号情報は、映像信号を解析して得られる情報である。信号情報としては、例えば、解像度、同期周波数などが挙げられる。
【００５９】
リアルタイムクロック２２は、現在時刻を計時する。
【００６０】
光学制御ユニット２３は、光学部１を制御する。
【００６１】
映像信号処理ユニット２４は、映像投影装置１００に入力された映像信号を処理する。
【００６２】
電源制御ユニット２５は、電源９を制御する。
【００６３】
ネットワークボード１２は、ネットワークシステム制御ユニット３０、記憶部３１、ネットワークＩ／Ｆユニット３２、ＵＳＢ Ｉ／Ｆユニット３３を有して構成する。
【００６４】
ネットワークシステム制御ユニット３０は、ネットワークボード１２の各部を制御する。ネットワークシステム制御ユニット３０は、図３に示すように、ネットワークボード通信手段５０、ネットワーク制御手段５１、ＵＳＢ制御手段５２を有して構成する。
【００６５】
ネットワークボード通信手段５０は、メインボード１１との通信を行う。
【００６６】
ネットワーク制御手段５１は、ネットワークＩ／Ｆユニット３２を介してネットワーク信号の送受信を行う。
【００６７】
ＵＳＢ制御手段５２は、ＵＳＢ Ｉ／Ｆユニット３３を介してＵＳＢ信号を検知する。
【００６８】
記憶部３１は、各種情報を記憶する。
【００６９】
ネットワークＩ／Ｆユニット３２は、ネットワーク信号を送受信する。ネットワーク信号は、映像投影装置１００と映像出力装置２００との間でネットワークを介して送受信する信号である。
【００７０】
ＵＳＢ Ｉ／Ｆユニット３３は、ＵＳＢ信号を受信する。ＵＳＢ信号は、映像投影装置１００とＵＳＢ Ｉ／Ｆユニット３３を介して接続された映像出力装置２００から出力された信号である。この場合の映像出力装置２００は、ＵＳＢメモリに該当する。
【００７１】
＜映像投影装置１００の処理動作例＞
次に、図６、図７を参照しながら、映像投影装置１００の処理動作例について説明する。図６、図７は、映像投影装置１００の処理動作例を示す図である。なお、図６、図７の処理動作例は、映像出力装置２００としてＵＳＢメモリが映像投影装置１００に接続された場合の処理動作例を示している。本実施形態の映像投影装置１００は、図６、図７に示す処理動作を行うことで、電源ＯＦＦ状態、スタンバイ状態、電源ＯＮ状態の何れかの状態に遷移する。
【００７２】
映像投影装置１００が電源ＯＮ状態の場合、図６に示すように、リアルタイムクロック２２は、一定時間（例えば、１分）毎にメイン制御手段４０に現在時刻の時刻情報を通知する（ステップＳ１）。
【００７３】
メイン制御手段４０は、リアルタイムクロック２２から通知された時刻情報を基に、記憶部２１に保存している図４に示す電源断時刻を更新する（ステップＳ２）。これにより、映像投影装置１００の通電が突然遮断された場合でも、記憶部２１に保存された電源断時刻を参照して通電が遮断された時刻を把握することができる。但し、記憶部２１に保存される電源断時刻は、一定時間毎に更新されるため、一定時間以内の誤差が発生することになる。
【００７４】
ＵＳＢ Ｉ／Ｆユニット３３にＵＳＢメモリが接続されると、ＵＳＢ制御手段５２は、ＵＳＢ信号を検知する（ステップＳ３）。ＵＳＢ信号は、ＵＳＢメモリから出力された映像信号である。また、ＵＳＢ制御手段５２は、ＵＳＢメモリの識別子を読み出す。ＵＳＢメモリには、シリアルナンバ（Device ID）があるため、ＵＳＢ制御手段５２は、シリアルナンバを識別子として読み出す。
【００７５】
ＵＳＢ制御手段５２は、ＵＳＢ信号を検知すると、ＵＳＢ信号をネットワークボード通信手段５０に送信する（ステップＳ４）。この場合、ＵＳＢ制御手段５２は、ＵＳＢ信号と共に識別子も送信する。ネットワークボード通信手段５０は、ＵＳＢ信号をメインボード通信手段４５に送信する（ステップＳ５）。メインボード通信手段４５は、ＵＳＢ信号をメイン制御手段４０に送信する（ステップＳ６）。
【００７６】
メイン制御手段４０は、映像投影装置１００が電源ＯＮ状態でＵＳＢ信号を受け付けた場合は、信号判定手段４４でＵＳＢ信号の信号判定を行い、ＵＳＢ信号の信号情報を取得する（ステップＳ７）。信号判定手段４４は、ＵＳＢ信号を基に、例えば、ＵＳＢ信号の解像度を判定する。また、同期周波数を判定する。メイン制御手段４０は、信号判定手段４４で判定した解像度や同期周波数を信号情報として取得する。なお、信号判定手段４４で行う信号判定は、ＵＳＢ信号などの映像信号を基に、その映像信号がどのような映像信号かを特定することが可能な判定であればあらゆる判定を行うことが可能である。信号判定手段４４で行う信号判定としては、例えば、通常のプロジェクタのメニュー画面に表示される映像信号の情報を判定する方法が挙げられる。これにより、信号判定手段４４で行った信号判定結果の信号情報を基に、映像信号がどのような映像信号かを特定することができる。
【００７７】
メイン制御手段４０は、信号判定手段４４で判定した信号情報を記憶部２１に保存する。この場合、メイン制御手段４０は、図５に示すように、映像種別、識別子、信号情報を対応付けて記憶部２１に保存する（ステップＳ８）。これにより、映像投影装置１００で投影を開始する映像信号の情報を記憶部２１に保存して管理することができる。
【００７８】
メイン制御手段４０は、映像投影装置１００が電源ＯＮ状態でＵＳＢ信号を受け付けた場合は、ＵＳＢ信号を投影手段４３に送信し、映像投影を開始する（ステップＳ９）。この場合、投影手段４３は、光学制御ユニット２３を制御し、ＵＳＢ信号の投影を開始する（ステップＳ１０）。
【００７９】
これにより、映像投影装置１００は、映像投影装置１００が電源ＯＮ状態で映像出力装置２００であるＵＳＢメモリから映像信号であるＵＳＢ信号を受け付けた場合は、そのＵＳＢ信号の投影を行うことになる。
【００８０】
なお、映像投影装置１００が電源ＯＮ状態の場合に、ユーザが操作パネル７やリモコンを操作してスタンバイ移行要求を行った場合は、本体キー・リモコン制御手段４２は、スタンバイ移行要求を受け付ける（ステップＳ２０）。本体キー・リモコン制御手段４２は、スタンバイ移行要求を受け付けた場合に、メイン制御手段４０にスタンバイ移行要求を送信する（ステップＳ２１）。なお、ユーザ操作ではなく、タイマー機能により映像投影装置１００が所定時間経過しても映像投影を開始しない場合に、スタンバイ移行要求をメイン制御手段４０に送信するようにすることも可能である。
【００８１】
メイン制御手段４０は、スタンバイ移行要求を受け付けた場合は、メインボード通信手段４５を介してネットワークボード通信手段５０にスタンバイ移行要求を送信する（ステップＳ２２、Ｓ２３）。ネットワークボード通信手段５０は、スタンバイ移行要求を受け付けた場合に、ネットワーク制御手段５１、ＵＳＢ制御手段５２にスタンバイ移行処理を行い、ネットワークボード１２をスタンバイ状態に移行する（ステップＳ２４、Ｓ２５）。また、メイン制御手段４０は、スタンバイ移行処理を行い、メインボード１１をスタンバイ状態に移行する（ステップＳ２６）。
【００８２】
これにより、映像投影装置１００は、電源ＯＮ状態からスタンバイ状態に移行する。
【００８３】
映像投影装置１００がスタンバイ状態の場合、リアルタイムクロック２２は、一定時間（例えば、１分）毎にメイン制御手段４０に現在時刻の時刻情報を通知する（ステップＳ３０）。メイン制御手段４０は、リアルタイムクロック２２から通知された時刻情報を基に、記憶部２１に保存している電源断時刻を更新する（ステップＳ２１）。これにより、映像投影装置１００がスタンバイ状態であっても電源ＯＮ状態の場合と同様に一定時間毎に電源断時刻が更新される。
【００８４】
映像投影装置１００が電源ＯＮ状態やスタンバイ状態の時に、映像投影装置１００への通電が遮断されると、映像投影装置１００は、電源ＯＦＦ状態に移行する。
【００８５】
映像投影装置１００が電源ＯＦＦ状態の時に、映像投影装置１００への通電が開始されると、映像投影装置１００は、スタンバイ状態に移行する。
【００８６】
映像投影装置１００への通電が開始されると、図７に示すように、電源制御ユニット２５は、スタンバイ処理開始をメイン制御手段４０に通知する（ステップＳ４０）。
【００８７】
メイン制御手段４０は、スタンバイ処理開始を受け付けた場合に、映像投影装置１００をスタンバイ状態にするために必要な開始処理を行う（ステップＳ４１）。開始処理としては、タスク生成などの処理が挙げられる。
【００８８】
また、メイン制御手段４０は、メインボード通信手段４５を介してネットワークボード通信手段５０にスタンバイ処理開始を通知する（ステップＳ４２、Ｓ４３）。ネットワークボード通信手段５０は、スタンバイ処理開始を受け付けた場合に、スタンバイ状態になるための動作をネットワーク制御手段５１、ＵＳＢ制御手段５２に行い、ネットワークボード１２をスタンバイ状態に移行する（ステップＳ４４、Ｓ４５）。
【００８９】
また、メイン制御手段４０は、映像投影装置１００を動作するために必要な情報を記憶部２１から読み出し、メインボード１１をスタンバイ状態に移行する（ステップＳ４６）。記憶部２１から読み出す情報としては、例えば、通常のプロジェクタのメニュー画面に設定されている情報などが挙げられる。
【００９０】
また、メイン制御手段４０は、リアルタイムクロック２２から現在時刻の時刻情報を取得し（ステップＳ４７）、該取得した現在時刻の時刻情報を通電開始時刻として記憶部２１に保存する（ステップＳ４８）。これにより、図４に示すように、電源断時刻と通電開始時刻とを対応付けて記憶部２１に保存することができる。
【００９１】
ＵＳＢ制御手段５２は、ステップＳ４５の処理でスタンバイ状態に移行したため、ＵＳＢ Ｉ／Ｆユニット３３に接続されているＵＳＢメモリのＵＳＢ信号を検知する（ステップＳ４９）。また、ＵＳＢ制御手段５２は、ＵＳＢメモリの識別子を読み出す。
【００９２】
ＵＳＢ制御手段５２は、ＵＳＢ信号をネットワークボード通信手段５０に送信する（ステップＳ５０）。この場合、ＵＳＢ信号と共に識別子も送信する。ネットワークボード通信手段５０は、ＵＳＢ信号をメインボード通信手段４５を介してメイン制御手段４０に送信する（ステップＳ５１、Ｓ５２）。
【００９３】
メイン制御手段４０は、映像投影装置１００がスタンバイ状態でＵＳＢ信号を受け付けた場合は、入力検知起動判断手段４１で入力検知起動するか否かの判定を行う（ステップＳ５３）。
【００９４】
入力検知起動判断手段４１は、信号判定手段４４でＵＳＢ信号の信号判定を行い、ＵＳＢ信号の信号情報を取得する（ステップＳ５４）。これにより、通電遮断後に受け付けた映像信号の情報を取得することができる。また、入力検知起動判断手段４１は、記憶部２１に保存した通電遮断前の映像信号の情報を読み出す（ステップＳ５５）。通電遮断前の映像信号の情報としては、記憶部２１に保存した映像種別、識別子、信号情報が挙げられる。
【００９５】
入力検知起動判断手段４１は、信号判定手段４４で信号判定を行った通電遮断後の映像信号の情報と、記憶部２１から読み出した通電遮断前の映像信号の情報と、を比較する。そして、通電遮断後の映像信号と、通電遮断前の映像信号と、の双方の映像信号が同じ映像信号か否かを判定する。
【００９６】
通電遮断後の映像信号と、通電遮断前の映像信号と、の双方の映像信号が同じ映像信号の場合は、入力検知起動判断手段４１は、電源断時刻、通電開始時刻を記憶部２１から読み出す（ステップＳ５６）。入力検知起動判断手段４１は、記憶部２１から読み出した電源断時刻と通電開示時刻とを基に、映像投影装置１００の通電が遮断していた時間を算出する（ステップＳ５７）。そして、入力検知起動判断手段４１は、通電が遮断していた時間が一定時間以内か否かを判定する。メイン制御手段４０は、入力検知起動判断手段４１が一定時間以内であると判定した場合は、処理を終了し、映像投影装置１００をスタンバイ状態のままにする。また、メイン制御手段４０は、入力検知起動判断手段４１が一定時間以内でないと判定した場合は、映像投影装置１００の起動処理を開始し（ステップＳ６０）、映像投影装置１００を電源ＯＮ状態に移行する。
【００９７】
映像投影装置１００がスタンバイ状態から電源ＯＮ状態に移行すると、光源ランプ２の点灯を開始したり、ファン１０の動作を開始したりする。また、図６に示すステップＳ１〜Ｓ１０の処理を行うことになる。これにより、映像投影装置１００は、ＵＳＢ信号などの映像信号を検知した場合に、映像信号の投影を開始することになる。
【００９８】
また、映像投影装置１００がスタンバイ状態のままの場合は、図６に示すステップＳ３０〜Ｓ３１の処理を行うことになる。そして、映像投影装置１００がスタンバイ状態でＵＳＢ制御手段５２がＵＳＢ信号を検知した場合は、ステップＳ４９〜Ｓ５７の処理を行うことになる。
【００９９】
＜入力検知起動判定の処理動作例＞
次に、図８を参照しながら、図７に示すステップＳ５３〜Ｓ５７、Ｓ６０の処理動作例について詳細に説明する。図８は、入力検知起動判定の処理動作例を示す図である。
【０１００】
メイン制御手段４０は、映像投影装置１００がスタンバイ状態で映像信号を受け付けた場合は、入力検知起動判断手段４１で入力検知起動するか否かの判定を行う（ステップＡ１）。
【０１０１】
入力検知起動判断手段４１は、通電遮断後に検知した映像信号の判定を信号判定手段４４で行い、通電遮断後に検知した映像信号の映像種別、識別子、信号情報を取得する（ステップＡ２）。入力検知起動判断手段４１は、通電遮断前に検知した映像信号の映像種別、識別子、信号情報を記憶部２１から読み出す（ステップＡ３）。そして、入力検知起動判断手段４１は、信号判定手段４４で信号判定を行った通電遮断後の映像信号の情報と、記憶部２１から読み出した通電遮断前の映像信号の情報と、を比較する。そして、通電遮断後の映像信号と、通電遮断前の映像信号と、の双方の映像信号が同じ映像信号か否かを判定する（ステップＡ４）。
【０１０２】
例えば、通電遮断後の映像信号の映像種別、識別子、信号情報と、通電遮断前の映像信号の映像種別、識別子、信号情報と、の少なくとも１つを比較し、通電遮断後の映像信号と、通電遮断前の映像信号と、の双方の映像信号が同じ映像信号か否かを判定する。この場合、双方の映像種別が同じ場合は、その映像種別の映像信号から得られる情報は同じになるため、双方の識別子や信号情報を比較する。識別子は、一意の情報であるため、双方の識別子が同一の場合は、通電遮断後の映像信号と、通電遮断前の映像信号と、が同じ映像信号であると判定することができる。逆に、双方の識別子が異なる場合は、通電遮断後の映像信号と、通電遮断前の映像信号と、が同じ映像信号でないと判定することができる。双方の識別子を比較することができない場合は、双方の信号情報を比較する。なお、信号情報に含まれる同期周波数は、信号判定手段４４で映像信号を解析することで得られるが、信号判定手段４４の解析では誤差が含まれるため、映像信号が同じであっても毎回同じ値にならない。このため、信号情報に含まれる同期周波数を比較する場合は、誤差を考慮して比較する必要がある。例えば、通電遮断後の映像信号の同期周波数と、通電遮断前の映像信号の同期周波数と、の差分が所定の誤差の範囲内である場合は、同じ映像信号と判定する。また、差分が所定の誤差の範囲内でない場合は、異なる映像信号と判定する。
【０１０３】
このように、入力検知起動判断手段４１は、通電遮断後の映像信号の映像種別、識別子、信号情報と、通電遮断前の映像信号の映像種別、識別子、信号情報と、の少なくとも１つを比較する。これにより、通電遮断後の映像信号と、通電遮断前の映像信号と、の双方の映像信号が同じ映像信号か否かを判定することができる。
【０１０４】
通電遮断後の映像信号と、通電遮断前の映像信号と、が同じと入力検知起動判断手段４１が判定した場合は（ステップＡ４／Ｙｅｓ）、入力検知起動判断手段４１は、電源断時刻、通電開始時刻を記憶部２１から読み出す（ステップＡ５）。入力検知起動判断手段４１は、記憶部２１から読み出した電源断時刻と通電開示時刻とを基に、通電が遮断していた時間を算出する（ステップＡ６）。通電が遮断していた時間は、電源断時刻から通電開示時刻までの時間を算出することで得られる。
【０１０５】
入力検知起動判断手段４１は、ステップＡ６で算出した通電が遮断していた時間が一定時間以内か否かを判定する（ステップＡ７）。一定時間は、映像投影装置１００に予め設定されている。一定時間は、ユーザが任意に設定することも可能である。
【０１０６】
入力検知起動判断手段４１が一定時間以内であると判定した場合は（ステップＡ７／Ｙｅｓ）、メイン制御手段４０は、処理を終了し（Ｅｎｄ）、映像投影装置１００をスタンバイ状態のままにする。
【０１０７】
また、入力検知起動判断手段４１が一定時間以内でないと判定した場合は（ステップＡ７／Ｎｏ）、メイン制御手段４０は、映像投影装置１００の起動処理を開始し（ステップＡ８）、映像投影装置１００を電源ＯＮ状態に移行する。
【０１０８】
また、通電遮断後の映像信号と、通電遮断前の映像信号と、が同じでないと入力検知起動判断手段４１が判定した場合は（ステップＡ４／Ｎｏ）、メイン制御手段４０は、映像投影装置１００の起動処理を開始する（ステップＡ８）。映像投影装置１００の起動処理を開始すると、映像投影装置１００は電源ＯＮ状態に移行する。
【０１０９】
＜本実施形態の映像投影装置１００の作用・効果＞
本実施形態の映像投影装置１００は、通電遮断後の映像信号を検知した場合に（ステップＡ１）、通電遮断後の映像信号と、通電遮断前の映像信号と、の双方の映像信号が同じか否かを判定する（ステップＡ４）。双方の映像信号が同じ映像信号の場合は（ステップＡ４／Ｙｅｓ）、映像投影装置１００への通電が遮断していた時間が一定時間以内か否かを判定する（ステップＡ７）。通電が遮断していた時間が一定時間以内である場合は（ステップＡ７／Ｙｅｓ）、映像投影装置１００の起動処理を行わず、映像投影装置１００をスタンバイ状態のままにする。また、双方の映像信号が異なる映像信号の場合（ステップＡ４／Ｎｏ）、または、通電が遮断していた時間が一定時間以内でない場合（ステップＡ７／Ｎｏ）は、映像投影装置１００の起動処理を行い（ステップＡ８）、映像投影装置１００を電源ＯＮ状態に移行する。これにより、ユーザの意図しない通電遮断が発生した場合に、映像投影装置１００が自動的に起動してしまうのを防止することができる。
【０１１０】
本実施形態の映像投影装置１００は、映像信号が同一か否かの判定だけで、映像投影装置１００を起動するか否かを判断してしまうと、別の日などに同じ映像信号を映像投影装置１００で投影したい場合も映像投影装置１００を起動することができなくなってしまう。停電やブレーカー断のユーザの異図しない通電遮断は、通電が遮断している時間が短いことが多い。このため、双方の映像信号が同じ映像信号の場合は（ステップＡ４／Ｙｅｓ）、映像投影装置１００への通電が遮断していた時間が一定時間以内か否かを判定する（ステップＡ７）。そして、通電が遮断していた時間が一定時間以内でない場合（ステップＡ７／Ｎｏ）は、映像投影装置１００の起動処理を行い（ステップＡ８）、映像投影装置１００を電源ＯＮ状態に移行する。これにより、別の日などに同じ映像信号を映像投影装置１００で投影したい場合も映像投影装置１００を起動することができる。
【０１１１】
なお、上述した映像投影装置１００は、図８に示すように、映像信号の判定処理であるステップＡ２〜Ａ４の処理を先に行い、通電が遮断している時間の判定処理であるステップＡ５〜Ａ７の処理を後に行うことにしている。しかし、図９に示すように、通電が遮断している時間の判定処理であるステップＡ５〜Ａ７の処理を先に行い、映像信号の判定処理であるステップＡ２〜Ａ４の処理を後に行うことも可能である。
【０１１２】
即ち、本実施形態の映像投影装置１００は、映像信号の判定処理と、通電が遮断している時間の判定処理と、の少なくとも１つの判定処理を行う。そして、少なくとも１つの判定処理の判定結果に応じて映像投影装置１００を起動するか否かを判断するように構成することも可能である。
【０１１３】
なお、図６、図７は、映像信号としてＵＳＢ信号を例として説明した。このため、ＵＳＢ Ｉ／Ｆユニット３３を介してＵＳＢ制御手段５２がＵＳＢ信号を検知する例を示している。映像信号としてビデオ信号などの場合は、映像信号処理ユニット２４を介してメイン制御手段４０がビデオ信号を検知することになる。
【０１１４】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１１５】
例えば、上述する実施形態では、映像投影装置１００と映像出力装置２００とが１対１で接続している場合を例に説明した。しかし、映像投影装置１００と映像出力装置２００とが多対多で接続する構成も可能である。
【０１１６】
また、上述した本実施形態の映像投影装置１００における制御動作は、ハードウェア、または、ソフトウェア、あるいは、両者の複合構成を用いて実行することも可能である。
【０１１７】
なお、ソフトウェアを用いて処理を実行する場合には、処理シーケンスを記録したプログラムを、専用のハードウェアに組込まれているコンピュータ内のメモリにインストールして実行させることが可能である。あるいは、各種処理が実行可能な汎用コンピュータ内のメモリにインストールして実行させることが可能である。
【０１１８】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体が挙げられる。
【０１１９】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【０１２０】
また、本実施形態における映像投影装置１００は、上記実施形態で説明した処理動作に従って時系列的に実行されるのみならず、処理を実行する装置の処理能力、あるいは、必要に応じて並列的にあるいは個別に実行するように構築することも可能である。
【符号の説明】
【０１２１】
１００    映像投影装置
２００    映像出力装置
１１    メインボード
１２    ネットワークボード
２０    システム制御ユニット
２１    記憶部
２２    リアルタイムクロック
２３    光学制御ユニット
２４    映像信号処理ユニット
２５    電源制御ユニット
３０    ネットワークシステム制御ユニット
３１    記憶部
３２    ネットワークＩ／Ｆユニット
３３    ＵＳＢ Ｉ／Ｆユニット
４０    メイン制御手段
４１    入力検知起動判断手段
４２    本体キー・リモコン制御手段
４３    投影手段
４４    信号判定手段
４５    メインボード通信手段
５０    ネットワークボード通信手段
５１    ネットワーク制御手段
５２    ＵＳＢ制御手段
【先行技術文献】
【特許文献】
【０１２２】
【特許文献１】特開平０８−２３７５５９号公報
【図１】
2015022040.tif 000003
【図２】
2015022040.tif 000004
【図３】
2015022040.tif 000005
【図４】
2015022040.tif 000006
【図５】
2015022040.tif 000007
【図６】
2015022040.tif 000008
【図７】
2015022040.tif 000009
【図８】
2015022040.tif 000010
【図９】
2015022040.tif 000011
【図１０】
2015022040.tif 000012
【図１１】
2015022040.tif 000013